(57)【要約】【課題】前枠を開いた位置から閉じた位置に回動させた際に、わざわざロック部材を傾動等させる必要がなく、かつロック部材をロック解除させる解除部材等を必要としない施錠装置を提供する。【解決手段】施錠装置１は、前枠側に固定される鉤部材２と、外枠側に可動可能に取付けられる鉤受部材６と、鉤受ベース部材７と、施錠状態をロックするロック部材８を有している。ロック部材８は、前枠側に傾動可能に取付けられており、前枠を閉じた位置に回動させた際に、鉤受部材６に対して前側から係合し、シリンダ錠４の錠軸４ａを軸回転させた際に、錠軸４ａ側から力を受けて左方向に傾動して鉤受部材６から外れる。【選択図】        図４
2007185428.tif 000002
【特許請求の範囲】
【請求項１】
矩形枠状の外枠に開閉回動可能に取付けられた前枠を外枠に対して閉じた位置で施錠する遊技機用の施錠装置であって、
前記前枠側に固定される鉤部材と、前記外枠側に可動可能に取付けられる鉤受部材と、前記鉤受部材が前記鉤部材に係止した施錠状態をロックするためのロック部材を有しており、
前記ロック部材は、前記前枠側に可動可能に取付けられており、前記前枠を開いた位置から閉じた位置に回動させた際に、施錠状態にある前記鉤受部材に対して前枠の回動方向である前側から係合する構成であるとともに、前記前枠に設けられたシリンダ錠の錠軸を軸回転させた際に、前記錠軸側から力を受けて左方向に可動して前記鉤受部材から外れる構成になっていることを特徴とする遊技機用の施錠装置。
【請求項２】
請求項１に記載の遊技機用の施錠装置であって、
鉤部材とロック部材とシリンダ錠が前枠側に取付けられ、
鉤受部材が外枠側に取付けられ、
前記ロック部材が、前記鉤受部材に対して前側から係合し、前記シリンダ錠の錠軸を軸回転させた際に、前記錠軸側から力を受けて左方向に可動して前記鉤受部材から外れる構成になっていることを特徴とする遊技機用の施錠装置。
【請求項３】
請求項２に記載の遊技機用の施錠装置であって、
鉤部材は、前枠から外枠に向けて突出する鉤部を有し、
前記鉤部は、シリンダ錠よりも前記前枠の回動先端側の側端部寄りに配設される構成になっていることを特徴とする遊技機用の施錠装置。
【請求項４】
請求項２または３に記載の遊技機用の施錠装置であって、
鉤受部材は、外枠に固定される鉤受ベース部材に可動可能に取付けられ、
前記鉤受部材と前記鉤受ベース部材は、左側と前側とを開口するロック用係止部を有し、前記鉤受部材のロック用係止部が前記鉤受ベース部材のロック用係止部の位置と一致した状態にて前記鉤受部材のロック用係止部にロック部材が前側から差込まれ、シリンダ錠の錠軸を軸回転させた際に、前記ロック部材が前記錠軸側から力を受けて可動して前記鉤受部材のロック用係止部から左側に外れる構成になっていることを特徴とする遊技機用の施錠装置。
【発明の詳細な説明】
【技術分野】
【０００１】
本発明は、外枠に開閉回動可能に取付けられた前枠を外枠に対して閉じた位置で施錠する遊技機用の施錠装置に関する。とりわけ施錠状態をロックするためのロック部材を有する施錠装置に関する。
【背景技術】
【０００２】
従来、様々な遊技機用の施錠装置が知られており、例えば、特許文献１に記載の施錠装置が知られている。
特許文献１に記載の施錠装置は、前枠に取付けられる縦長の基枠体と、基枠体の上部と下部に傾動可能に取付けられる鉤部材と、基枠体に対して上下動可能に設けられ一対の鉤部材を連結する連結杆と、連結杆を上下動不能にロックするロック部材と、ロック部材をロック解除させる解除部材を有している。ロック部材は、連結杆に前後方向に傾動可能に取付けられており、解除部材は、基枠体に前後方向に傾動可能に取付けられている。
【０００３】
前枠を外枠に対して開いた位置から閉じた位置に回動させると、解除部材が外枠に押されて傾動し、ロック部材が解除部材に押されてロック位置からロック解除位置まで傾動する。そして鉤部材が鉤受部材に係合し、ロック部材がロック解除位置からロック位置に戻り、連結杆がロック部材によって上方へ移動できなくなり、施錠状態がロックされる。
ロック状態を解除し、解錠させる場合には、シリンダ錠の錠軸を軸回転させる。これにより錠軸に設けられたカム部材が回動し、カム部材によってロック部材がロック解除位置まで傾動されて、ロック状態が解除される。そして連結杆がカム部材によって持上げられ、鉤部材が傾動し、鉤部材が鉤受部材から外れて、施錠装置が解錠状態になる。
【特許文献１】特開平１０−３１４４２５号公報
【発明の開示】
【発明が解決しようとする課題】
【０００４】
しかし特許文献１に記載の施錠装置は、前述したように、前枠を開いた位置から閉じた位置に回動させる場合に、ロック部材を一時的にロック位置からロック解除位置まで傾動させる動作が必要であるため、動作が複雑になっていた。しかもロック部材を傾動させる解除部材が必要であるために、複雑な構成にもなっていた。
そこで本発明は、施錠状態をロックするためのロック部材を有し、前枠を開いた位置から閉じた位置に回動させた際に、わざわざロック部材を傾動等させる必要がなく、かつロック部材をロック解除させる解除部材等を必要としない施錠装置を提供することを課題とする。
【課題を解決するための手段】
【０００５】
前記課題を解決するために本発明は、各請求項に記載の通りの構成を備える遊技機用の施錠装置であることを特徴とする。
請求項１に記載の発明によると、施錠装置は、前枠側に固定される鉤部材と、外枠側に可動可能に取付けられる鉤受部材と、鉤受部材が鉤部材に係止した施錠状態をロックするためのロック部材を有している。そしてロック部材は、前枠側に可動可能に取付けられており、前枠を開いた位置から閉じた位置に回動させた際に、施錠状態にある鉤受部材に対して前枠の回動方向である前側から係合する構成であるとともに、前枠に設けられたシリンダ錠の錠軸を軸回転させた際には、錠軸側から力を受けて左方向に可動して鉤受部材から外れる構成になっている。
【０００６】
したがって前枠を外枠に対して開いた位置から閉じた位置に回動すると、ロック部材が前枠とともに外枠に対して前側から近づき、外枠に設けられた鉤受部材に対しロック部材が前側から係合する。そのため施錠装置をロック状態にする際に、わざわざロック部材を傾動等させる必要がない。したがって本発明によると、ロック部材を鉤受部材に係合させるために従前必要だったロック部材を傾動させる解除部材などを不要とする。そのため施錠装置は、簡易な構成になる。
【０００７】
請求項２に記載の発明によると、鉤部材とロック部材とシリンダ錠が前枠側に取付けられ、鉤受部材が外枠側に取付けられている。そしてロック部材が、鉤受部材に対して前側から係合し、シリンダ錠の錠軸を軸回転させた際に、錠軸側から力を受けて左方向に可動して鉤受部材から外れる構成になっている。
【０００８】
したがって本発明は、可動する鉤受部材を外枠側に有し、固定される鉤部材を前枠側に有している。そのため前枠に取付けられる施錠装置の部品が従前のものよりもコンパクトになる。例えば、従前の施錠装置は、前枠に固定された基枠体に鉤部材を傾動可能に取付けるピンと、鉤部材をシリンダ錠の錠軸に連動させる連結杆と、連結杆を付勢する付勢部材を有する複雑な構成になっていた。これに対して本発明の施錠装置は、前枠に取付けられる部材としてこれらが不要であるため、部品点数が少なく、コンパクトになっている。したがって前枠側に遊技盤を取付けるためのスペースを大きく確保することができ、これによって大きな遊技盤を前枠に取付けることを許容する。
【０００９】
請求項３に記載の発明によると、鉤部材は、前枠から外枠に向けて突出する鉤部を有している。そして鉤部は、シリンダ錠よりも前枠の回動先端側の側端部寄りに配設される構成になっている。
ところで従前の施錠装置は、鉤部がシリンダ錠よりも前枠左右中央寄りに配設されていた。この理由は、前枠側に取付けられる部品が多いために、シリンダ錠よりも前枠の回動先端側の狭いスペースに鉤部を配設することが困難だったからである。これに対して本発明は、鉤部材が前枠に固定されるために、鉤部材の鉤部をシリンダ錠よりも前枠の回動先端側に配設することが可能になっている。そして鉤部材の鉤部をシリンダ錠よりも前枠の回動先端側に配設することで、前枠側の遊技盤用のスペースを大きく確保することができ、大きな遊技盤を前枠に取付けることが可能になっている。
【００１０】
請求項４に記載の発明によると、鉤受部材は、外枠に固定される鉤受ベース部材に対して可動可能に取付けられる。そして鉤受部材と鉤受ベース部材は、左側と前側とを開口するロック用係止部を有し、鉤受部材のロック用係止部が鉤受ベース部材のロック用係止部の位置と一致した状態にて鉤受部材のロック用係止部にロック部材が前側から差込まれる。そしてシリンダ錠の錠軸を軸回転させた際に、ロック部材が錠軸側から力を受けて可動して鉤受部材のロック用係止部から左側に外れる。
したがってロック部材は、鉤受部材のロック用係止部に前側から係合し、解除する際には、左方向に可動することで鉤受部材のロック用係止部から外れる。
【発明の効果】
【００１１】
本発明の遊技機用の施錠装置によると、遊技機用の領域を前枠側に大きく確保し得る施錠装置において、施錠状態をロック状態にする際に、わざわざロック部材を傾動等させる必要がない。そのためロック部材をロック解除させる解除部材等を必要としない。
【発明を実施するための最良の形態】
【００１２】
本発明に係る施錠装置１を図１〜１０にしたがって説明する。
施錠装置１は、図１に示すようにパチンコ機やスロット機などの遊技機１０に取付けられる。
遊技機１０は、外枠１１と前枠１２を有している。外枠１１は、上枠部材１１ａと下枠部材１１ｂと左枠部材１１ｃと右枠部材１１ｄを矩形状に枠組みし、下側前面に幕板１１ｅを取付けることで形成されている。
【００１３】
前枠１２は、平板材であって中央部に開口窓１２ａを有している。前枠１２の一端部１２ｂの上部と下部は、ヒンジ１６によって外枠１１に対して回動可能に取付けられている。したがって前枠１２は、外枠１１に対して開いた位置と閉じた位置との間で回動する。そして前枠１２は、施錠装置１によって閉じた位置にて施錠される。なお前枠１２には、図示省略の遊技盤が取付けられる。
【００１４】
施錠装置１は、図１に示すように前枠１２に取付けられる前枠側部材１ａと、外枠１１に取付けられる外枠側部材１ｂを有している。
前枠側部材１ａは、図２に示すように縦長の鉤部材２と、鉤部材２に取付けられるガラス窓用鉤部材３と、シリンダ錠４と、ロック部材８を有している。
鉤部材２は、断面Ｌ字状であって、取付部２ａと取付部２ａに対して立設する立設部２ｂを一体に有している。
【００１５】
取付部２ａは、図１に示すように前枠１２の側端部１２ｃ寄りの裏面に取付けられて固定される。
立設部２ｂは、開口窓１２ａ寄りの取付部２ａの側縁に立設される。立設部２ｂの上部と下部には、図２に示すように鉤部２ｃが設けられており、立設部２ｂの上下中央寄りには、シリンダ錠取付部２ｄが設けられている。
【００１６】
鉤部２ｃは、図１，２に示すように立設部２ｂから外枠１１に向けて突出している。したがって鉤部２ｃは、前枠１２を閉じた位置に回動した際に、図４に示すように外枠側部材１ｂに差込まれる。
シリンダ錠取付部２ｄは、図１，２に示すように立設部２ｂの先端縁一部から前枠１２の開口窓１２ａに向けて張出している。そしてシリンダ錠取付部２ｄには、シリンダ錠４とロック部材８が取付けられる。
シリンダ錠４は、図２に示すように鍵穴に挿入した鍵を回すことで軸回転する錠軸４ａを有している。錠軸４ａの一端部は、シリンダ錠４の本体部から突出しており、該一端部には、カム部材５が取付けられている。
【００１７】
カム部材５は、図２に示すようにロック操作用張出片５ａと、解錠用張出片５ｂと、ガラス窓解錠用張出片５ｃを有している。
ロック操作用張出片５ａは、カム部材５の本体部から後方（図２左方向）に張出しており、シリンダ錠４の錠軸４ａを時計回りに回転させた際に、ロック部材８に当接してロック部材８を傾動させる。
【００１８】
解錠用張出片５ｂは、ロック操作用張出片５ａの先端から錠軸４ａの軸回転方向に張出しており、シリンダ錠４の錠軸４ａを時計回りに回転させた際に、外枠側部材１ｂの鉤受部材６に当接して鉤受部材６を押し下げる。
ガラス窓解錠用張出片５ｃは、カム部材５の本体部から後方（図２左方向）に張出しており、シリンダ錠４の錠軸４ａを反時計回りに回転させた際に、ガラス窓用鉤部材３に当接して、ガラス窓用鉤部材３を押上げる。
【００１９】
ロック部材８は、弾性変形可能なばね材から形成されており、図２に示すように中央部に形成された挿通孔８ａに挿通したピン１８を介してシリンダ錠取付部２ｄに傾動可能に取付けられる。
ロック部材８は、一端部（上端部）に突片８ｂを有し、他端部（下端部）に力受片８ｃを有している。
突片８ｂは、ロック部材８の上端部から後方（図２左方向）に張出している。したがって突片８ｂは、前枠１２を閉じた位置にした際に、図４に示すように外枠側部材１ｂに対して差込まれるようになっている。
【００２０】
力受片８ｃは、図２に示すようにロック部材８の下端部から前方（図２右方向）に張出し、図５，６に示すようにカム部材５のロック操作用張出片５ａによって押され得る構成になっている。したがってロック部材８は、カム部材５によって押されることで傾動する。
図２に示すように力受片８ｃと挿通孔８ａとの間には、付勢部材１７の一端部が係止されるスプリング係止部８ｄが形成されている。付勢部材１７は、コイルスプリングであって、付勢部材１７の他端部は、シリンダ錠取付部２ｄに形成されたスプリング係止部２ｄ１に係止される。したがってロック部材８は、付勢部材１７によって所定傾動位置に戻るように付勢される。
【００２１】
ガラス窓用鉤部材３は、図示省略の前枠１２に取付けられた遊技盤用のガラス窓を施錠する部材であって、鉤部材２に対して上下動可能に取付けられる。ガラス窓用鉤部材３は、図２に示すように縦長の本体部３ａを有しており、本体部３ａは、上端部と下端部に形成された長穴３ａ１を貫通するねじ１４によって鉤部材２に対して上下動可能に取付けられる。
【００２２】
本体部３ａの上部と下部には、図２，４に示すように鉤部３ｂが形成されている。鉤部３ｂは、鉤部材２に形成された挿通孔２ｆに挿通されて前方（右方向）に突出している。
本体部３ａの下端部には、付勢部材１３の一端部が係止される係止部３ｅが形成されている。付勢部材１３は、コイルスプリングであって、他端部は、鉤部材２の立設部２ｂに形成された係止部２ｅに係止される。したがってガラス窓用鉤部材３は、付勢部材１３によって下方に付勢される。
【００２３】
本体部３ａの後端縁には、図２に示すように後方に突出する力受部３ｃが形成されている。力受部３ｃは、カム部材５のガラス窓解錠用張出片５ｃに対応する位置に設けられており、カム部材５をシリンダ錠４の錠軸４ａとともに軸回転させた場合にガラス窓解錠用張出片５ｃによって上方に押される。そのためガラス窓用鉤部材３は、カム部材５によって持上げられる。
【００２４】
外枠側部材１ｂは、図３に示すように鉤受ベース部材７と、鉤受ベース部材７に対して上下動可能に取付けられる鉤受部材６を有している。
鉤受ベース部材７は、断面コ字状であって、外枠１１の右枠部材１１ｄの内枠面に取付けられる取付部７ａと、取付部７ａの前後側縁に立設する一対の立設部７ｂ，７ｃを有している（図７参照）。立設部７ｂの上側部と下側部には、図３，４に示すように鉤部２ｃが挿入される挿入部７ｂ１が形成されており、上下中央には、ロック用係止部７ｄが形成されている。
【００２５】
ロック用係止部７ｄは、図３，４に示すように立設部７ｂの一部を切欠くことで形成されており、左側に開口している。またロック用係止部７ｄは、立設部７ｂを厚み方向にも貫通しているために、左側と前側とを開口する構成になっている。したがってロック用係止部７ｄにロック部材８の突片８ｂが前側から差込まれ、解除される時には左側に外され得る。
【００２６】
鉤受部材６は、図３に示すように断面コ字状であって、縦長板状の摺動板部６ａと、摺動板部６ａの前端縁に立設する立設部６ｂと、摺動板部６ａの後端縁に立設する立設部６ｃを有している。
鉤受部材６は、鉤受ベース部材７に収納され、摺動板部６ａの上端部と下端部に形成された長穴６ａ１を挿通したねじ１６によって鉤受ベース部材７に対して上下動可能に取付けられる。そして鉤受部材６は、鉤受ベース部材７の立設部７ｂ，７ｃによって前後方向への移動が規制されている。
【００２７】
摺動板部６ａの上端部には、図３に示すように付勢部材１５の一端部が係止される係止部６ｄが形成されている。付勢部材１５は、コイルスプリングであって、他端部は、鉤受ベース部材７の取付部７ａの上端部に形成された係止部７ｅに係止される。したがって鉤受部材６は、付勢部材１５によって上方に付勢される。
【００２８】
摺動板部６ａの下寄り部分には、左側に突出する力受部６ｅが形成されている。力受部６ｅは、図６に示すようにカム部材５の解錠用張出片５ｂに対応する位置に設けられている。したがってカム部材５を軸回転した場合に、力受部６ｅが解錠用張出片５ｂによって下方に押され、鉤受部材６が付勢部材１５に抗して下方に移動する。
【００２９】
立設部６ｂは、図３，４に示すように鉤受ベース部材７の挿入部７ｂ１に対応した上部と下部の位置に開口部６ｂ２と係止部６ｂ１を有している。係止部６ｂ１は、鉤受部材６が鉤受ベース部材７に対して上下動した際に、鉤受ベース部材７の挿入部７ｂ１に対して出没し、出没することで鉤部２ｃに対し係脱する。
【００３０】
立設部６ｂは、図３，４に示すように鉤受ベース部材７のロック用係止部７ｄに対応する位置にロック用係止部６ｆを有している。
ロック用係止部６ｆは、立設部６ｂの一部を切欠くことで形成されており、左側に開口している。またロック用係止部６ｆは、立設部６ｂを厚み方向にも貫通しているため、左側と前側とを開口する構成になっている。したがってロック用係止部６ｆにロック部材８の突片８ｂが前側から差込まれ、解除される時には左側に外され得る。
【００３１】
施錠装置１を施錠状態にする様子を説明する。先ず、前枠１２を外枠１１に対して開いた位置から閉じた位置に回動する（図１参照）。これにより前枠側部材１ａの鉤部２ｃが外枠側部材１ｂの係止部６ｂ１に当たり、鉤受部材６が付勢部材１５の付勢力に抗して鉤部２ｃによって押下げられる（図７，８参照）。そして鉤部２ｃが開口部６ｂ２を貫通することで、鉤受部材６が付勢部材１５によって上方に移動して、鉤受部材６の係止部６ｂ１が鉤部２ｃの掛止部２ｃ１に係止する（施錠状態）。
【００３２】
施錠状態をロック部材８によってロックする様子を説明する。前枠１２を外枠１１に対して開いた位置から閉じた位置に回動することで、図８に示すようにロック部材８の突片８ｂの先端が鉤受ベース部材７の挿入部７ｂ１に差込まれる。そして鉤部２ｃによって鉤受部材６が押下げられるため、突片８ｂの先端が鉤受部材６の立設部６ｂに当接する。そして突片８ｂが立設部６ｂに当接した状態のまま前枠１２がさらに閉じた方向に回動されることで、ロック部材８が前後方向に弾性変形する。次に、鉤受部材６が上方に移動して鉤受部材６のロック用係止部６ｆと鉤受ベース部材７のロック用係止部７ｄとが同じ高さになり、これによって突片８ｂがロック部材８の弾性力によって回動方向である後方に移動し、突片８ｂがロック用係止部６ｆに前側から入り込む。したがってロック部材８は、傾動することなく、前側から鉤受部材６に係合し、鉤受部材６の下方への移動を規制する。その結果、施錠装置１は、施錠状態においてロックされ、不正解錠されることが防止される。
【００３３】
施錠装置１を施錠状態から解錠状態する場合は、シリンダ錠４に鍵を挿入し、鍵を時計回りに回転させる（図９参照）。これによりカム部材５が図９（Ｂ）に示す矢印Ａ方向に軸回転し、ロック操作用張出片５ａがロック部材８の力受片８ｃに当接し、ロック操作用張出片５ａがロック部材８を付勢部材１７に抗して左方向（図９（Ｂ）右方向）に傾動させる。その結果、ロック部材８の突片８ｂがロック用係止部６ｆ，７ｄから左方向に外れ、鉤受部材６が下方に移動できるようになる。そのため施錠装置１は、ロックが解除された状態になる。
【００３４】
そしてカム部材５をさらに回転させることで、図９（Ｃ）（Ｄ）に示すように解錠用張出片５ｂが鉤受部材６の力受部６ｅに当接し、鉤受部材６が解錠用張出片５ｂに押されて付勢部材１５に抗して下方に移動する。そして係止部６ｂ１が鉤部２ｃの掛止部２ｃ１から脱し、施錠装置１が解錠状態になる。そのため施錠装置１が解錠状態になって、前枠１２を閉じた位置から開いた位置へ回動させることができる。
【００３５】
ガラス窓用鉤部材３を作動させる場合は、シリンダ錠４に挿入した鍵を反時計回りに回転させる。これによりカム部材５が図９（Ｂ）に示す矢印Ａ方向と逆方向に回動し、ガラス窓用鉤部材３の力受部３ｃがカム部材５のガラス窓解錠用張出片５ｃによって押上げられる。その結果、ガラス窓用鉤部材３が付勢部材１３に抗して上方に移動して、ガラス窓用鉤部材３によってガラス枠施錠具を解錠状態にすることができる。
【００３６】
外枠１１の上枠部材１１ａと下枠部材１１ｂと幕板１１ｅは、図１に示すように木製であって、左枠部材１１ｃと右枠部材１１ｄは、アルミなどの金属製である。左枠部材１１ｃと右枠部材１１ｄは、金属製であるために厚さ１〜５ｍｍの薄板状であって、外枠１１の開口面積を広く確保し得る構成になっている。
【００３７】
左枠部材１１ｃと右枠部材１１ｄは、縦方向に延出する複数のリブを有しており、図１０に示すように右枠部材１１ｄは、複数のリブ１１ｄ１〜１１ｄ３を有している。右枠部材１１ｄのリブ１１ｄ２，１１ｄ３を避けた位置には、外枠側部材１ｂが取付けられており、外枠側部材１ｂは、リブ１１ｄ２，１１ｄ３よりも右枠部材１１ｄに対して厚み方向に突出しない構成になっている。したがって外枠１１の開口面積が外枠側部材１ｂによって狭くなることが防止されている。
【００３８】
以上のようにして施錠装置１が構成されている。
すなわち施錠装置１は、図１に示すように鉤部材２と鉤受部材６と鉤受ベース部材７とロック部材８を有している。そしてロック部材８は、前枠１２側に可動可能に取付けられており、前枠１２を開いた位置から閉じた位置に回動させた際に、図７に示すように施錠状態にある鉤受部材６に対して回動方向である前側から係合する構成であるとともに、前枠１２に設けられたシリンダ錠４の錠軸４ａを軸回転させた際には、図９に示すように錠軸４ａ側から力を受けて左方向（図９（Ｄ）右方向）に可動して鉤受部材６から外れる構成になっている。
【００３９】
したがって前枠１２を外枠１１に対して開いた位置から閉じた位置に回動すると、ロック部材８が前枠１２とともに外枠１１に対して前側から近づき、外枠１１に設けられた鉤受部材６に対しロック部材８が前側から係合する。そのため施錠装置１をロック状態にする際に、わざわざロック部材８を傾動等させる必要がない。したがって本形態によると、ロック部材８を鉤受部材６に係合させるために従前必要だったロック部材を傾動させる解除部材などが不要とする。そのため施錠装置１は、簡易な構成になっている。
【００４０】
また施錠装置１は、図１に示すように可動する鉤受部材６を外枠１１側に有し、固定される鉤部材２を前枠１２側に有している。そのため前枠１２に取付けられる施錠装置の部品が従前のものよりもコンパクトになる。例えば、従前の施錠装置は、前枠に固定された基枠体に鉤部材を傾動可能に取付けるピンと、鉤部材をシリンダ錠の錠軸に連動させる連結杆と、連結杆を付勢する付勢部材を有する複雑な構成になっていた。これに対して本発明の施錠装置１は、前枠１２に取付けられる部材としてこれらを不要とするために、部品点数が少なく、コンパクトになっている。したがって前枠１２側に遊技盤を取付けるためのスペースを大きく確保することができ、これによって大きな遊技盤を前枠１２に取付けることを許容する。
【００４１】
また鉤部材２は、図１に示すように前枠１２から外枠１１に向けて突出する鉤部２ｃを有している。そして鉤部２ｃは、シリンダ錠４よりも前枠１２の回動先端側の側端部１２ｃ寄りに配設される構成になっている。
ところで従前の施錠装置は、鉤部がシリンダ錠よりも前枠左右中央寄りに配設されていた。この理由は、前枠側に取付けられる部品が多いために、シリンダ錠よりも前枠の回動先端側の狭いスペースに鉤部を配設することが困難だったからである。これに対して本発明の施錠装置１は、鉤部材２が前枠１２に固定されるために、鉤部材２の鉤部２ｃをシリンダ錠４よりも前枠１２の回動先端側に配設することが可能になっている。そして鉤部材２の鉤部２ｃをシリンダ錠４よりも前枠１２の回動先端側に配設することで、前枠１２側の遊技盤用のスペースを大きく確保することができ、これによって大きな遊技盤を前枠に取付けることを許容する。
【００４２】
また鉤受部材６は、図１に示すように外枠１１に固定される鉤受ベース部材７に対して可動可能に取付けられる。そして鉤受部材６と鉤受ベース部材７は、図３，４に示すように左側と前側とに開口するロック用係止部６ｆ，７ｄを有し、鉤受部材６のロック用係止部６ｆが鉤受ベース部材７のロック用係止部７ｄの位置と一致した状態にて鉤受部材６のロック用係止部６ｆにロック部材８が前側から差込まれる。そしてシリンダ錠４の錠軸４ａを軸回転させた際に、ロック部材８が錠軸４ａ側から力を受けて可動して鉤受部材６のロック用係止部６ｆから左側に外れる。
したがってロック部材８は、鉤受部材６のロック用係止部６ｆに前側から係合し、解除する際には、左方向に傾動することで鉤受部材６のロック用係止部６ｆから外れる。
【００４３】
（他の実施の形態）
本発明は、上記の実施の形態に限定されず、以下の形態であっても良い。
（１）すなわち上記実施の形態のロック部材８は、図８に示すように弾性変形可能なばね材から形成されており、弾性力を利用して突片８ｂが鉤受部材６のロック用係止部６ｆに係合する構成になっていた。しかしばね材から形成されるロック部材８に限定されず、同様の作用を奏する構成を備えるものであっても良い。例えば、ロック部材８が他の弾性部材によって付勢されて、ロック部材８の突片８ｂが鉤受部材６のロック用係止部６ｆに係合する形態、あるいは突片８ｂに代えて出没可能に付勢されるピンを有する形態等であっても良い。
（２）上記実施の形態のロック部材は、前枠に対して左方向に傾動可能に取付けられていた。しかしロック部材が前枠に対して左方向に平行移動可能に取付けられる構成になっていても良い。
【図面の簡単な説明】
【００４４】
【図１】遊技機の外枠、前枠および施錠装置の斜視図である。
【図２】施錠装置の前枠側部材の構成部品図である。
【図３】施錠装置の外枠側部材の構成部品図である。
【図４】解錠状態における施錠装置の斜視図（Ａ）と、施錠状態における施錠装置の斜視図（Ｂ）である。
【図５】施錠装置のロック部材近傍の拡大斜視図である。
【図６】施錠状態をロックした状態における施錠装置のロック部材近傍の拡大斜視図である。
【図７】施錠装置を解錠状態から施錠状態にし、かつ施錠状態をロックした状態にする様子を示す施錠装置の左側面図である。
【図８】施錠装置を解錠状態から施錠状態にし、かつ施錠状態をロックした状態にする様子を示す施錠装置の拡大動作原理図である。
【図９】施錠装置のロックを解除し、かつ施錠状態から解錠状態にする様子を示す施錠装置の一部左側面図（Ａ）（Ｃ）（Ｅ）と、一部背面図（Ｂ）（Ｄ）（Ｆ）である。
【図１０】図１のIX―IX線断面矢視図である。
【符号の説明】
【００４５】
１…施錠装置
１ａ…前枠側部材
１ｂ…外枠側部材
２…鉤部材
２ｃ…鉤部
３…ガラス窓用鉤部材
４…シリンダ錠
４ａ…錠軸
５…カム部材
５ａ…ロック操作用張出片
５ｂ…解錠用張出片
５ｃ…ガラス窓解錠用張出片
６…鉤受部材
６ｂ…立設部
６ｂ１…係止部
６ｅ…力受部
６ｆ，７ｄ…ロック用係止部
７…鉤受ベース部材
７ｂ…立設部
７ｂ１…挿入部
８…ロック部材
８ｂ…突片
８ｃ…力受片
１０…遊技機
１１…外枠
１２…前枠
１３，１５，１７…付勢部材
【図１】
2007185428.tif 000003
【図２】
2007185428.tif 000004
【図３】
2007185428.tif 000005
【図４】
2007185428.tif 000006
【図５】
2007185428.tif 000007
【図６】
2007185428.tif 000008
【図７】
2007185428.tif 000009
【図８】
2007185428.tif 000010
【図９】
2007185428.tif 000011
【図１０】
2007185428.tif 000012